(57)【要約】【課題】放熱空間をより確実に確保することのできる取付補助部材および取付補助部材を備える照明装置を得る。【解決手段】取付補助部材５０は、壁部６０の貫通孔６１に埋め込み固定されるとともに、灯具２０が取り付けられるものである。この取付補助部材５０は、壁部６０における貫通孔６１の周縁部６０ｃを覆う本体部５１０と、本体部５１０に設けられて貫通孔６１に挿入される側壁部５２０と、を備えている。また、本体部５１０には、貫通孔６１よりも開口面積が小さく、灯具２０が挿入される取付孔５１４が形成されている。そして、側壁部５２０は、本体部５１０側の根元部５２０ａから先端５２０ｂまでの高さを変えることのできる可変構造５６０を有しており、先端５２０ｂ側を取付孔５１４に挿入された灯具２０よりも突出させることができるように構成されている。【選択図】図１０
2018060721.tif 000002
【特許請求の範囲】
【請求項１】
壁部の貫通孔に埋め込み固定されるとともに、灯具が取り付けられる取付補助部材であって、
前記壁部における前記貫通孔の周縁部を覆う本体部と、
前記本体部に設けられて前記貫通孔に挿入される側壁部と、
を備え、
前記本体部には、前記貫通孔よりも開口面積が小さく、前記灯具が挿入される取付孔が形成されており、
前記側壁部は、前記本体部側の根元部から先端までの高さを変えることのできる可変構造を有しており、先端側を前記取付孔に挿入された前記灯具よりも突出させることができるように構成されていることを特徴とする取付補助部材。
【請求項２】
前記本体部には、複数の前記側壁部が、前記取付孔の周方向に離間するように設けられていることを特徴とする請求項１に記載の取付補助部材。
【請求項３】
前記本体部には、前記複数の側壁部が、前記取付孔の中心に対して点対称となるように設けられていることを特徴とする請求項２に記載の取付補助部材。
【請求項４】
前記複数の側壁部のうち少なくとも２つの側壁部の先端同士が連結壁によって連結されていることを特徴とする請求項２または請求項３に記載の取付補助部材。
【請求項５】
前記側壁部は、前記本体部に設けられる側壁部本体と、前記側壁部本体に取り付けられる延設壁と、を備えており、
前記延設壁が、前記側壁部本体の先端からの突出量を変えた状態で、前記側壁部本体に取り付けられるように構成されていることを特徴とする請求項１〜４のうちいずれか１項に記載の取付補助部材。
【請求項６】
請求項１〜５のうちいずれか１項に記載の取付補助部材と、
前記取付補助部材に取り付けられる灯具と、
を備えることを特徴とする照明装置。
【発明の詳細な説明】
【技術分野】
【０００１】
本開示は、取付補助部材および取付補助部材を備える照明装置に関する。
【背景技術】
【０００２】
従来、照明装置として、取付補助部材を用いて灯具を壁部の貫通孔に埋め込み固定するようにしたものが知られている（例えば、特許文献１参照）。
【０００３】
この特許文献１では、取付補助部材は、壁部の貫通孔を覆う本体部と、本体部に固定されてプレートを壁部に取り付けるためのプレート取付部と、を備えている。
【０００４】
本体部には、壁部の貫通孔よりも開口面積が小さい取付孔が形成されており、この取付孔に灯具を挿入することで灯具が取付補助部材に固定されるようにしている。
【０００５】
一方、プレート取付部は、本体部に固定される２つの側壁と、側壁にそれぞれ配置される取付ばねと、側壁の先端を連結する天壁と、を備えている。
【０００６】
そして、本体部と取付ばねとで壁部を挟持することで、取付補助部材が壁部に固定されるようにしている。
【０００７】
このように、特許文献１では、灯具が埋め込み固定される取付孔が形成された取付補助部材を壁部の貫通孔に固定させることで、既存の灯具が取り付けられていた壁部の貫通孔に、既存の灯具よりも外形の小さい灯具を取り付けることができるようにしている。
【先行技術文献】
【特許文献】
【０００８】
【特許文献１】特開２０１４−００７０８２号公報
【発明の概要】
【発明が解決しようとする課題】
【０００９】
ところで、上記従来の照明装置を断熱施工が施された建物に設置すると、断熱材がプレート取付部によって壁部から離れる方向に押されることになって、灯具と断熱材との間に空間が形成されることとなる。そして、灯具と断熱材との間に形成される空間には、灯具で生じた熱が放出されることになる。
【００１０】
しかしながら、取付補助部材に固定することが可能な灯具（外径がほぼ同じ灯具）の中には、様々な発熱量の灯具が存在している。また、取付孔に挿入して取付補助部材に固定した状態における挿入方向の高さ等が異なる灯具も存在している。すなわち、取付補助部材に固定することが可能な灯具として、様々な種類の灯具が存在しており、その中には、発熱量が比較的大きい灯具や、取付孔に挿入して取付補助部材に固定した状態における挿入方向の高さが比較的大きい灯具等が存在している。
【００１１】
そのため、取付補助部材に固定する灯具の種類によっては、灯具と断熱材との間に形成される空間にこもった熱の影響を受けてしまう場合がある。
【００１２】
このように、上記従来の技術では、灯具の熱を放出させる放熱空間を確保できなくなる場合があった。
【００１３】
そこで、本開示は、放熱空間をより確実に確保することのできる取付補助部材および取付補助部材を備える照明装置を得ることを目的とする。
【課題を解決するための手段】
【００１４】
本開示にかかる取付補助部材は、壁部の貫通孔に埋め込み固定されるとともに、灯具が取り付けられるものである。
【００１５】
この取付補助部材は、前記壁部における前記貫通孔の周縁部を覆う本体部と、前記本体部に設けられて前記貫通孔に挿入される側壁部と、を備えている。
【００１６】
また、前記本体部には、前記貫通孔よりも開口面積が小さく、前記灯具が挿入される取付孔が形成されている。
【００１７】
そして、前記側壁部は、前記本体部側の根元部から先端までの高さを変えることのできる可変構造を有しており、先端側を前記取付孔に挿入された前記灯具よりも突出させることができるように構成されている。
【００１８】
また、本開示にかかる照明装置は、前記取付補助部材と、前記取付補助部材に取り付けられる灯具と、を備えるものである。
【発明の効果】
【００１９】
本開示によれば、放熱空間をより確実に確保することのできる取付補助部材および取付補助部材を備える照明装置を得ることができる。
【図面の簡単な説明】
【００２０】
【図１】一実施形態にかかる照明装置を壁部の貫通孔に埋め込み固定した状態を示す図であって、（ａ）は壁部の一方側から視た斜視図、（ｂ）は壁部の他方側から視た平面図である。
【図２】一実施形態にかかる照明装置を示す分解斜視図である。
【図３】一実施形態にかかる灯具や取付補助部材と貫通孔との関係を示す図であって、（ａ）は灯具と貫通孔との関係を示す図、（ｂ）は取付補助部材と貫通孔との関係を示す図である。
【図４】一実施形態にかかる灯具を灯具本体と電源装置とに分解した状態を示す第１の斜視図である。
【図５】一実施形態にかかる灯具を灯具本体と電源装置とに分解した状態を示す第２の斜視図である。
【図６】一実施形態にかかる灯具本体を分解した状態を示す第１の斜視図である。
【図７】一実施形態にかかる灯具本体を分解した状態を示す第２の斜視図である。
【図８】一実施形態にかかる取付補助部材を分解した状態を示す斜視図である。
【図９】一実施形態にかかる取付補助部材を側壁付本体部と側壁延設部材とに分解した状態を示す斜視図である。
【図１０】一実施形態にかかる取付補助部材を示す斜視図である。
【図１１】一実施形態にかかる照明装置を壁部の貫通孔に埋め込み固定した状態を示す断面図である。
【図１２】一実施形態の変形例にかかる照明装置を壁部の貫通孔に埋め込み固定した状態を、壁部の他方側から視た平面図である。
【図１３】一実施形態の変形例にかかる照明装置を壁部の貫通孔に埋め込み固定した状態を示す断面図である。
【発明を実施するための形態】
【００２１】
以下、本実施にかかる取付補助部材、取付補助部材を備える照明装置について、図面を参照しながら詳細に説明する。なお、以下では、灯具として、天井（壁部）に埋め込まれる天井埋め込み型のダウンライトを例示する。また、取付補助部材として、既存のダウンライト（既存の灯具）が埋め込み固定されていた天井（壁部）の天井孔（貫通孔）に、既存のダウンライト（既存の灯具）よりもサイズ（外径）の小さいダウンライト（灯具）を取り付ける際に用いられるリニューアルプレートを例示する。
【００２２】
また、ダウンライト（灯具）およびリニューアルプレート（取付補助部材）は、天井（壁部）に取り付けた状態における室内側を下側、天井裏側を上側として説明する。
【００２３】
本実施形態にかかる照明装置１０は、図１に示すように、ダウンライト（灯具）２０と、建物の室内空間Ｒを画成する天井（壁部）６０へのダウンライト２０の取り付けを補助するリニューアルプレート（取付補助部材）５０と、を備えている。
【００２４】
ダウンライト２０は、天井６０の厚さ方向に貫通するように形成された天井孔（貫通孔）６１に埋め込み固定されて、当該ダウンライト２０に設けられた光源３３０からの光を室内空間Ｒに向けて照射させるものである。
【００２５】
しかしながら、本実施形態では、天井６０に形成された天井孔６１に埋め込み固定されていた図示せぬ既存のダウンライト（既存の灯具）よりも外形が小さいダウンライト２０を用いている。具体的には、後述するダウンライト２０のフランジ部３２８の外径が、天井孔６１の内径よりも小さいダウンライト２０を用いている（図３（ａ）参照）。そのため、このダウンライト２０を直接天井６０に取り付けた場合には、ダウンライト２０のフランジ部３２８と天井孔６１との間に隙間Ｄが形成されてしまう。このように、本実施形態で用いられるダウンライト２０は、天井孔６１をフランジ部３２８で直接覆うことができない構成をしている。
【００２６】
そこで、本実施形態では、天井６０に形成された天井孔６１に埋め込み固定されるリニューアルプレート５０を用いることで、既存の天井孔６１とはサイズの合わないダウンライト２０を当該天井孔６１に取り付けられるようにしている。
【００２７】
このリニューアルプレート５０には、後述するように、天井孔６１の内径よりも大きい外径のフランジ部５１１が設けられている。したがって、リニューアルプレート５０を天井孔６１に埋め込み固定させた状態では、天井６０の下面（表面）６０ｂにおける天井孔６１の周縁部６０ｃがフランジ部５１１によって覆われることとなる（図３（ｂ）参照）。
【００２８】
また、フランジ部５１１の中央部には、ダウンライト２０が挿入された状態で取り付けられる取付孔（灯具取付孔：フランジ部５１１の厚さ方向に貫通する貫通孔）５１４が形成されている。この取付孔５１４の内径は、ダウンライト２０のフランジ部３２８の外径よりも小さくなっている。したがって、リニューアルプレート５０にダウンライト２０を取り付けた状態では、取付孔５１４がダウンライト２０によって覆われることとなる。
【００２９】
本実施形態では、このようなリニューアルプレート５０を用いることで、リニューアルプレート５０およびダウンライト２０によって天井孔６１を覆った状態で、ダウンライト２０を天井６０に取り付けることができるようにしている。
【００３０】
このダウンライト２０およびリニューアルプレート５０は、例えば、以下の方法で天井６０に取り付けることができる。
【００３１】
まず、ダウンライト２０をリニューアルプレート５０に取り付ける。次に、ダウンライト２０が取り付けられたリニューアルプレート５０を天井孔６１に埋め込み固定させる。こうすることで、ダウンライト２０およびリニューアルプレート５０を、天井孔６１を覆った状態で天井６０に取り付けることができる。なお、リニューアルプレート５０を天井孔６１に埋め込み固定した後に、天井孔６１に埋め込み固定された状態のリニューアルプレート５０にダウンライト２０を取り付けるようにすることも可能である。
【００３２】
以下、照明装置１０の各構成について具体的に説明する。
【００３３】
まず、ダウンライト２０の具体的な構成について、図４〜図７に基づき説明する。
【００３４】
ダウンライト２０は、図４および図５に示すように、灯具本体３０と電源装置４０とを備えている。
【００３５】
灯具本体３０は、図６に示すように、光源３３０を有している。そして、この光源３３０には電源装置４０が電気的に接続されている。光源３３０としては、例えば、複数のＬＥＤ（発光素子）と、複数のＬＥＤ（発光素子）が配置されるＬＥＤ基板（発光素子基部）と、を備えるものを用いることができる。なお、光源３３０として半導体光源等を用いることも可能である。
【００３６】
また、灯具本体３０は、図６および図７に示すように、光源３３０で生じた熱をダウンライト２０の外部へと放出させる放熱部３１０を備えている。この放熱部３１０は、例えば、熱伝導率の高いアルミダイカストを用いて形成することができ、光源３３０で生じた熱をより効率的に放熱させることができるようになっている。
【００３７】
放熱部３１０は、光源３３０が熱的に接続される放熱部本体３１１と、放熱部本体３１１に連設される複数の放熱フィン３１２と、を備えている。
【００３８】
本実施形態では、放熱部本体３１１は、略円板状の天壁３１３と、天壁３１３の周縁部から下方（室内空間Ｒ側）に延設される周壁３１４と、を備えている。すなわち、放熱部本体３１１には、天壁３１３と周壁３１４とで画成されて下方に開口する収容空間が形成されている。そして、この収容空間内に、後述する第１の反射部３２１が収容されるようにしている。なお、複数の放熱フィン３１２は、天壁３１３の上面３１３ａから上方に突出するように形成されている。
【００３９】
また、本実施形態では、光源３３０が、天壁３１３の下面３１３ｂの中央部に固定されている。このように、光源３３０を天壁３１３の下面３１３ｂの中央部に固定することで、光源３３０と天壁３１３（放熱部３１０）とを熱的に接続させている。こうすることで、光源３３０で生じた熱を、天壁３１３の下面３１３ｂから放熱部３１０に伝達させて、放熱部３１０からダウンライト２０の外部へと放出させるようにしている。なお、複数のＬＥＤが配置されたＬＥＤ基板を光源３３０として用いた場合、複数のＬＥＤが下方を向くようにした状態でＬＥＤ基板を天壁３１３の下面３１３ｂの中央部に固定されることとなる。
【００４０】
さらに、灯具本体３０は、図６および図７に示すように、光源３３０が固定された放熱部３１０に取り付けられ、光源３３０から出射された光の外部（室内空間Ｒなど）への照射を補助する光照射補助部３２０を備えている。この光照射補助部３２０を用いることで、ダウンライト２０の光の配向を所定の方向となるようにしたり、ダウンライト２０から照射される光の照射範囲を所定の範囲となるようにしたりすることができる。
【００４１】
本実施形態では、光照射補助部３２０は、下方（室内空間Ｒ側）に開口する開口３２０ａを有しており、このような光照射補助部３２０を用いることで、光源３３０から出射された光が、開口３２０ａを介して下側（室内空間Ｒの床側）の所定の範囲に照射されるようにしている。
【００４２】
光照射補助部３２０は、光源３３０から出射した光が下方側を向くように反射させる第１の反射部３２１と、透過させる際に光を拡散させる拡散板３２２と、拡散板３２２で拡散された光が下方側を向くように反射させる第２の反射部３２３と、を備えている（図６および図７参照）。
【００４３】
本実施形態では、第１の反射部３２１は、底壁３２４と、底壁３２４の外周縁部から上方に延設される外周壁３２５と、を備えている。底壁３２４は、本実施形態では、円板状の部材の中央に略円形の開口（下側開口３２６ｃ）が形成された形状をしており、平面視で略円環状をしている。
【００４４】
一方、外周壁３２５は略円筒状をしており、この外周壁３２５は、外径が放熱部本体３１１の周壁３１４の内径よりも若干小径となるように形成されている。すなわち、底壁３２４および周壁３１４は、天壁３１３と周壁３１４とで画成された収容空間内に収容することができる大きさとなるように形成されている。
【００４５】
さらに、底壁３２４の中央に形成された開口（下側開口３２６ｃ）の周縁部からは反射板３２６が延設されている。この反射板３２６は、例えば、ＰＢＴ（ポリブチレンテレフタレート）樹脂等で形成することができ、下方に向かうにつれて拡径する略椀状をしている。そして、この反射板３２６の上下端には、上方に開口する上側開口３２６ｂと下方に開口する下側開口３２６ｃとがそれぞれ形成されている。なお、反射板３２６の下側の湾曲面が反射面３２６ａとなっている。
【００４６】
そして、第１の反射部３２１を放熱部本体３１１の収容空間内に収容した際には、上側開口３２６ｂが天壁３１３によって覆われることとなる。このとき、下方から視た状態で、少なくとも光源３３０の発光部（例えば、ＬＥＤ基板に配置された複数のＬＥＤ）が上側開口３２６ｂ内に配置されるようにするのが好ましい。こうすれば、光源３３０から出射した光のうち、光源３３０の周縁部に広がるように出射した光（主光軸方向に対する傾きが大きい光）の多くを反射面３２６ａで反射させて下方を向くようにすることができるようになる。
【００４７】
そして、第１の反射部３２１の下方には拡散板３２２が配置されている。この拡散板３２２は、略円板状をしており、例えば、透光性を有するアクリル樹脂等を用いて形成することができる。
【００４８】
さらに、本実施形態では、第２の反射部３２３が拡散板３２２の下方に配置されている。この第２の反射部３２３は、上述したように、拡散板３２２によって拡散された光を下方側に向くように反射させる（配光する）ものであり、例えば、鋼板や樹脂等を用いて形成することができる。
【００４９】
そして、第２の反射部３２３は、上側開口３２７ｂおよび下側開口３２７ｃが形成された本体部３２７と、本体部３２７の下端（下側開口３２７ｃの周縁部）から径方向外側に延設されたフランジ部３２８と、を備えている。なお、本実施形態では、下側開口３２７ｃが光照射補助部３２０の開口３２０ａとなっている。
【００５０】
本体部３２７は、下方に向かうにつれて拡径する略椀状をしている補助反射板３２７ｄと、補助反射板３２７ｄの上端に連設されて拡散板３２２が挿入される筒状部３２７ｅとを備えている。
【００５１】
そして、補助反射板３２７ｄの下側の湾曲面が補助反射面３２７ａとなっている。なお、筒状部３２７ｅには、内側に向けて突出するように円環状の載置部３２７ｆが設けられており、この載置部３２７ｆに拡散板３２２の外周部を載置させることで、拡散板３２２が本体部３２７に支持されている。
【００５２】
さらに、本実施形態では、第２の反射部３２３には、板ばね３４０が取り付けられる板ばね取付部３２３ａが形成されている。そして、板ばね取付部３２３ａに取り付けられた板ばね３４０とフランジ部３２８とで被取付部材（例えば、天井６０等の壁部やリニューアルプレート５０）を挟持することで、ダウンライト２０が被取付部材に取り付けられるようにしている。なお、本実施形態では、板ばね３４０とフランジ部３２８とで、フランジ部５１１および内側縦壁部５１３を挟持することで、ダウンライト２０がリニューアルプレート５０に取り付けられるようにしている。
【００５３】
電源装置４０は、灯具本体３０の光源３３０に電気的に接続されており、商用電力を変換して光源３３０に電力を供給するための装置である。
【００５４】
本実施形態では、図２に示すように、電源装置４０と灯具本体３０とが一体に形成されている。具体的には、放熱部本体３１１の天壁３１３における略半分の領域に放熱フィン３１２を形成し、天壁３１３における残りの略半分の領域に、電源装置４０を載置させることで、電源装置４０と灯具本体３０とを一体に形成している。
【００５５】
電源装置４０は、略直方体状の筐体４１を備えている。この筐体４１は、例えば、絶縁性を有する樹脂を用いて形成することができ、筐体の内部には、光源３３０に給電するための電子部品４２が収納されている（図４参照）。電子部品４２は、例えば、ケーブル等を介して光源３３０に電気的に接続させることができる。
【００５６】
そして、筐体４１の長手方向一端側には、図５に示すように、電源端子台４３が形成されており、この電源端子台４３にＶＶＦケーブル４４が接続されている。ＶＶＦケーブル４４は、一端が電源端子台４３に形成された図示せぬ端子部に電気的に接続されるとともに、他端が図示せぬ商用電源に電気的に接続されており、このＶＶＦケーブル４４を介して筐体４１の内部の電子部品４２に、商用電源から電力が供給されるようになっている。
【００５７】
次に、リニューアルプレート５０の具体的な構成について、図８〜図１０に基づき説明する。
【００５８】
リニューアルプレート５０は、例えば、鋼板や樹脂等を用いて形成することができ、図８〜図１０に示すように、天井６０における天井孔６１の周縁部６０ｃを覆う本体部５１０を備えている。また、リニューアルプレート５０は、本体部５１０に設けられて天井孔６１に挿入される側壁部５２０を備えている。
【００５９】
本体部５１０は、フランジ部５１１と、フランジ部５１１の外周端に連設される外側縦壁部５１２と、フランジ部５１１の内周端に連設される内側縦壁部５１３と、天井孔６１よりも開口面積が小さく、ダウンライト２０が挿入される取付孔５１４と、を備えている。
【００６０】
外側縦壁部５１２は、フランジ部５１１の外周端から上方に突出するように延設されている。そして、リニューアルプレート５０を天井孔６１に埋め込み固定する際に、外側縦壁部５１２の上端を天井６０の下面（表面）６０ｂに当接させることで、リニューアルプレート５０が位置決めされるようにしている。
【００６１】
内側縦壁部５１３は、フランジ部５１１の外周端から上方に突出するように延設されており、内側縦壁部５１３の突出量が外側縦壁部５１２の突出量よりも大きくなるようにしている。すなわち、外側縦壁部５１２の上端の天井６０の下面（表面）６０ｂへの当接により、リニューアルプレート５０が位置決めされた状態で、内側縦壁部５１３の上端が、天井６０の下面（表面）６０ｂよりも上方に突出するようにしている。
【００６２】
そして、本実施形態では、この内側縦壁部５１３に側壁部５２０をねじ５２６ｂにより固定している。このように、側壁部５２０を内側縦壁部５１３にねじ止めするためには、内側縦壁部５１３をある程度突出させる必要がある。しかしながら、内側縦壁部５１３の突出量を大きくしすぎると、内側縦壁部５１３の上端が後述する押さえばね５４０と干渉してしまうおそれがある。そのため、内側縦壁部５１３は、押さえばね５４０と干渉しない程度に突出させるようにするのが好ましい。本実施形態では、内側縦壁部５１３に側壁部５２０を固定した状態で、当該内側縦壁部５１３の上端が、側壁部５２０に形成されて押さえばね５４０が取り付けられる溝５２４の下端と同等かそれ以下となるように、内側縦壁部５１３を突出させている。言い換えると、内側縦壁部５１３に側壁部５２０を固定した状態における側面視で、押さえばね５４０が取り付けられる溝５２４と内側縦壁部５１３とが重なり合わないようにしている。
【００６３】
さらに、本実施形態では、フランジ部５１１は、内周側に形成された段差部５１１ａを有しており、この段差部５１１ａは外側よりも内側が上方に位置するように形成されている。そして、段差部５１１ａの内周端に内側縦壁部５１３が連設されている。
【００６４】
このように、フランジ部５１１の内周側に段差部５１１ａを形成することで、ダウンライト２０をリニューアルプレート５０に取り付けた際に、フランジ部３２８が段差部５１１ａの段差面に当接するようにしている。すなわち、フランジ部３２８を段差部５１１ａの段差面に当接させた状態で、ダウンライト２０がリニューアルプレート５０に取り付けられるようにしている。こうすれば、リニューアルプレート５０を介してダウンライト２０を天井６０に取り付けた際に、ダウンライト２０がリニューアルプレート５０よりも下方に突出してしまうのが抑制されて、見栄えが悪化してしまうのを抑制することができるようになる。なお、段差部５１１ａを形成する際には、段差部５１１ａを多段とするのが好ましい。こうすれば、ダウンライト２０のフランジ部３２８の外径が若干異なった場合でも、フランジ部３２８を段差部５１１ａのいずれかの段差面に当接させることができるようになる。
【００６５】
一方、側壁部５２０は、上下方向に細長い略板状をしており、ダウンライト２０をリニューアルプレート５０に取り付けた状態で、先端５２０ｂがダウンライト２０よりも上方に突出するように、本体部５１０に設けられている。
【００６６】
本実施形態では、上述したように、本体部５１０とは別体の板部材をねじ５２６ｂにより内側縦壁部５１３に固定することで、本体部５１０に側壁部５２０が設けられるようにしている。
【００６７】
具体的には、２つ（複数）の板部材を、取付孔５１４の周方向に離間させた状態で、内側縦壁部５１３に取り付けることで、取付孔５１４の周方向に離間する２つ（複数）の側壁部５２０が本体部５１０に設けられるようにしている。さらに、本実施形態では、２つの板部材を、取付孔５１４の直径の両端に互いに対向するように設けることで、２つ（複数）の側壁部５２０を、内側縦壁部５１３における取付孔５１４の中心に対して点対称となる位置に設けている。なお、本実施形態では、同一形状をした２つの板部材を用いているが、異なる形状の板部材を用いて側壁部５２０を形成することも可能である。
【００６８】
また、各側壁部５２０には、リニューアルプレート５０を天井孔６１に埋め込み固定させる際に用いられる押さえばね５４０がそれぞれ取り付けられている。
【００６９】
本実施形態では、押さえばね５４０は、側壁部５２０に上下方向にスライド自在となるように取り付けられている。具体的には、側壁部５２０には、上下方向に細長く延在する溝５２４が形成されており、押さえばね５４０が、この溝５２４に沿って移動できる状態で側壁部５２０に取り付けられている。
【００７０】
本実施形態では、押さえばね５４０は、側壁部５２０に取り付けた状態で側壁部５２０の外側に配置される外側本体部５４１と、外側本体部５４１に連設され、側壁部５２０に取り付けた状態で側壁部５２０の内側に配置される内側本体部５４２と、を備えている。
【００７１】
また、溝５２４は、上端側（溝５２４における側壁部５２０の先端５２０ｂ側）が、他の部分よりも幅広に形成されており、側面視で略Ｔ字状をしている。
【００７２】
この溝５２４の幅広の部分は、外側本体部５４１を挿入させることができる大きさとなっており、溝５２４の他の部分は、外側本体部５４１および内側本体部５４２よりも幅狭となっている。
【００７３】
かかる構成とすることで、例えば、以下の方法により、押さえばね５４０を側壁部５２０に取り付けることができるようにしている。
【００７４】
まず、外側本体部５４１を側壁部５２０の内側から溝５２４の幅広の部分に挿入して、外側本体部５４１を側壁部５２０の外側に配置させるとともに、内側本体部５４２を側壁部５２０の内側に配置させる。
【００７５】
次に、外側本体部５４１を側壁部５２０の外側、内側本体部５４２を側壁部５２０の内側に配置させた状態で、押さえばね５４０を溝５２４の幅狭の部分に沿って下方に移動させる。このとき、外側本体部５４１と内側本体部５４２との連結部分を溝５２４の幅狭の部分に挿入させた状態で、押さえばね５４０を下方に移動させている。
【００７６】
こうすることで、外側本体部５４１および内側本体部５４２によって溝５２４からの抜けが抑制された状態で、押さえばね５４０が側壁部５２０に、上下方向にスライド自在に取り付けられる。
【００７７】
このように、本実施形態では、溝５２４の幅広の部分が、外側本体部５４１が挿入される挿入部５２４ａとなっており、溝５２４の幅狭の部分が押さえばね５４０を上下方向にスライドさせるスライド部５２４ｂとなっている。
【００７８】
さらに、本実施形態では、外側本体部５４１には付勢ばね５４１ａが取り付けられており、押さえばね５４０を側壁部５２０に取り付けた際には、この付勢ばね５４１ａが側壁部５２０の外側面を押圧するようにしている。こうすることで、付勢ばね５４１ａと内側本体部５４２とで側壁部５２０が挟持され、押さえばね５４０の上下方向への位置ずれが抑制されるため、押さえばね５４０を側壁部５２０の所望の高さ位置に取り付けることができるようになる。
【００７９】
また、押さえばね５４０を側壁部５２０に取り付けた状態で、付勢ばね５４１ａが側壁部５２０の外側面を押圧することで、外側本体部５４１に、外側端を下方に移動させる付勢力が働くようにしている。すなわち、リニューアルプレート５０の側壁部５２０を下面（表面）６０ｂ側から天井孔６１に挿入させた際に、外側本体部５４１が天井６０の上面（裏面）６０ａを押圧するようにしている。
【００８０】
したがって、リニューアルプレート５０を天井孔６１に埋め込み固定させる際には、この外側本体部５４１が天井６０の上面（裏面）６０ａを押圧し、押さえばね５４０とフランジ部５１１とで天井６０を挟持することとなる。このように、本実施形態では、押さえばね５４０とフランジ部５１１とで天井６０を挟持することにより、リニューアルプレート５０が天井６０に固定される（埋め込み固定される）ようにしている。
【００８１】
なお、上述したように、本実施形態では、側壁部５２０に押さえばね５４０を上下方向にスライド自在に取り付けているため、リニューアルプレート５０は、所定の範囲内における様々な厚さの壁部（天井６０）に取り付けることができる。
【００８２】
かかる構成をしたリニューアルプレート５０を用いてダウンライト２０を天井６０に取り付けた場合、リニューアルプレート５０の側壁部５２０やダウンライト２０の放熱部３１０が、室内空間Ｒ側から天井孔６１に挿入されて天井空間Ｓ内に収容されることとなる。
【００８３】
ここで、断熱施工が施された建物の天井６０に、上記構成をしたリニューアルプレート５０を用いてダウンライト２０を取り付けた場合、天井裏に配置された断熱材７０が側壁部５２０によって上方に押し上げられることとなる（図１１参照）。なお、断熱材７０は、例えば、グラスウールやブローイング材を用いて形成することができる。
【００８４】
このように、天井裏に断熱材７０が配置されていると、側壁部５２０を設けない場合には、放熱部３１０が断熱材７０に囲われてしまうため、光源３３０で生じた熱が放熱部３１０の近傍にこもってしまう。これに対して、本実施形態のようにリニューアルプレート５０に側壁部５２０を設けると、側壁部５２０が押し上げ部材として機能し、断熱材７０が上方に押し上げられるため、放熱部３１０の周囲に空間Ｓ１を確保することができる。その結果、断熱材７０によって熱の排出が邪魔されてしまうのを抑制することができるようになる。
【００８５】
しかしながら、リニューアルプレート５０に固定することが可能なダウンライト２０（外径がほぼ同じダウンライト２０）の中にも、様々な発熱量のダウンライト２０が存在しており、例えば、商業用の店舗等のように高出力の光源を用いたダウンライト２０等が存在している。
【００８６】
また、取付孔５１４に挿入してリニューアルプレート５０に固定した状態における挿入方向の高さ等が異なるダウンライト２０も存在しており、例えば、放熱フィン３１２の高さを高くすることで、放熱効率を高めたダウンライト２０等が存在している。
【００８７】
このように、リニューアルプレート５０に固定することが可能なダウンライト２０（外径がほぼ同じダウンライト２０）として、様々な種類のものが存在している。
【００８８】
そのため、リニューアルプレート５０に固定することが可能なダウンライト２０の種類によっては、断熱材７０との間に形成される空間Ｓ１にこもった熱の影響をダウンライト２０が受けてしまう場合がある。
【００８９】
例えば、発熱量が比較的大きいダウンライト２０をリニューアルプレート５０に固定した場合、壁部５２０が断熱材７０を押し上げることで形成される空間Ｓ１の容積が、ダウンライト２０の熱を放熱するために必要な容積よりも小さくなってしまうことがある。また、放熱フィン３１２の高さを高くすることで放熱効率を高めたダウンライト２０をリニューアルプレート５０に固定した場合、ダウンライト２０（放熱部３１０）と断熱材７０との間の距離が近くなってしまい、放熱部３１０の近傍に熱がこもってしまうことがある。また、ダウンライト２０の容積が増加した分だけ空間Ｓ１の容積が小さくなるため、ダウンライト２０の熱を放熱するために必要な容積を確保できなくなってしまうこともある。
【００９０】
このように、リニューアルプレート５０に側壁部５２０を単に設けただけでは、リニューアルプレート５０に固定したダウンライト２０の熱を放出させる放熱空間（空間Ｓ１）を確保できなくなってしまうことがある。
【００９１】
そこで、本実施形態では、放熱空間（空間Ｓ１）をより確実に確保することができるようにしている。具体的には、側壁部５２０が、本体部５１０側の根元部５２０ａから先端５２０ｂまでの高さを変えることのできる可変構造５６０を有するようにしている。こうすることで、各ダウンライト２０に必要な放熱空間（空間Ｓ１）の容積をより確実に確保できるようにしている。
【００９２】
そして、側壁部５２０の先端５２０ｂ側を、取付孔５１４に挿入されたダウンライト２０よりも上方に突出させることができるようにしている。本実施形態では、側壁部５２０の高さを最も低くした状態においても、先端５２０ｂ側がダウンライト２０よりも上方に突出するようにしている。すなわち、高さが最も低くなるようにした状態における先端５２０ｂがダウンライト２０の上端よりも上方に位置するようにしている。
【００９３】
なお、高さが最も低くなるようにした状態では、先端５２０ｂがダウンライト２０の上端よりも下方に位置するが、高さが最も高くなるようにした状態では、先端５２０ｂがダウンライト２０の上端よりも上方に位置するようにしてもよい。
【００９４】
さらに、本実施形態では、側壁部５２０が、本体部５１０に設けられる側壁部本体５２１と、側壁部本体５２１に取り付けられる延設壁５２２と、を備えるようにしている。
【００９５】
そして、延設壁５２２が、側壁部本体５２１の先端５２１ｂからの突出量を変えた状態で、側壁部本体５２１に取り付けられるようにしている。
【００９６】
側壁部本体５２１は、本実施形態では、一枚の板状部材を折曲させた形状をしており、スライド壁部本体５２３ａと、連結壁５２３ｂと、フランジ部５２３ｃと、を備えている。
【００９７】
具体的には、スライド壁部本体５２３ａの幅方向（取付孔５１４の周方向）両端に連結壁５２３ｂがそれぞれ連設されており、各連結壁５２３ｂは、取付孔５１４の径方向内側に延在するように連設されている。そして、各連結壁５２３ｂの内側端にフランジ部５２３ｃがそれぞれ連設されており、各フランジ部５２３ｃは、スライド壁部本体５２３ａの幅方向（取付孔５１４の周方向）外側に延在するように連設されている。
【００９８】
このように、スライド壁部本体５２３ａと連結壁５２３ｂとフランジ部５２３ｃとで、側壁部本体５２１を形成すると、側壁部本体５２１には、取付孔５１４の径方向外側に突出して上下方向に延在するスライド突部５２３が形成されることになる。
【００９９】
また、本実施形態では、スライド壁部本体５２３ａには、上下方向略中央部から下部にかけて延在する上述の溝５２４が形成されている。そして、スライド壁部本体５２３ａの溝５２４よりも上側に、上下方向略中央部から下部にかけて延在する（上下に細長い）長孔５２５が形成されている。
【０１００】
また、フランジ部５２３ｃの下端（側壁部本体５２１の根元部５２１ａ側）には、取付孔５１４の周方向に延設された取付片５２６が設けられている。この取付片５２６には、ねじ孔５２６ａが形成されており、このねじ孔５２６ａにねじ５２６ｂを挿入することで、側壁部本体５２１が内側縦壁部５１３に固定されるようにしている。本実施形態では、側壁部本体５２１の根元部５２１ａが側壁部５２０の根元部５２０ａとなっている。
【０１０１】
一方、延設壁５２２も、本実施形態では、一枚の板状部材を折曲させた形状をしており、スライド壁部本体５２７ａと、連結壁５２７ｂと、を備えている。
【０１０２】
具体的には、スライド壁部本体５２７ａの幅方向（取付孔５１４の周方向）両端に連結壁５２７ｂがそれぞれ連設されており、各連結壁５２７ｂは、取付孔５１４の径方向内側に延在するように連設されている。
【０１０３】
このように、スライド壁部本体５２７ａと連結壁５２７ｂとで、延設壁５２２を形成すると、延設壁５２２には、取付孔５１４の径方向内側に開口して上下方向に延在するスライド溝部５２７が形成されることになる。このスライド溝部５２７内には、スライド突部５２３がスライド自在に挿入される。
【０１０４】
また、スライド壁部本体５２７ａの下端５２２ａ側には、ねじ孔（丸孔）５２８が形成されている。
【０１０５】
さらに、本実施形態では、２つの延設壁５２２の先端５２２ｂ同士が連結壁５３０によって連結されている。
【０１０６】
この連結壁５３０は、天壁部５３１と、連結壁５３２とを備えている。具体的には、天壁部５３１の幅方向両端に連結壁５３２がそれぞれ連設されており、各連結壁５３２が上下方向の下方に延在するように連設されている。
【０１０７】
そして、天壁部５３１がスライド壁部本体５２３ａ同士を連設している。また、天壁部５３１の幅方向の一方側の連結壁５３２が、スライド壁部本体５２７ａの幅方向の一方側の連結壁５２７ｂ同士を連結しており、他方側の連結壁５３２が、スライド壁部本体５２７ａの幅方向の他方側の連結壁５２７ｂ同士を連結している。
【０１０８】
このように、本実施形態では、２つの延設壁５２２と連結壁５３０とが一体に形成されており、２つの延設壁５２２と連結壁５３０とを一体化させることで、側壁延設部材５８０を形成している（図９参照）。
【０１０９】
したがって、側壁延設部材５８０に形成される一対のスライド溝部５２７は、内側（互いに対向する側）および下端５２２ａ側が開口し、上下方向に延在する溝となっている。
【０１１０】
そして、各スライド溝部５２７の下端５２２ａ側に、スライド突部５２３の先端５２１ｂ側をそれぞれ挿入した状態で、側壁延設部材５８０を上下に移動させることで、側壁部５２０の高さ（本体部５１０側の根元部５２０ａから先端５２０ｂまでの高さ）を変えることができるようにしている。
【０１１１】
なお、本実施形態では、側壁部本体５２１を内側縦壁部５１３に固定することで側壁付本体部５７０を形成し、内側縦壁部５１３に固定された状態の側壁部本体５２１に対して側壁延設部材５８０をスライドさせるようにしている。
【０１１２】
このように、本実施形態では、側壁延設部材５８０を側壁付本体部５７０に対して上下にスライドさせることで、側壁部５２０の高さ（本体部５１０側の根元部５２０ａから先端５２０ｂまでの高さ）を変えることができるようにしている。
【０１１３】
そして、延設壁５２２を側壁部本体５２１の先端５２１ｂから所定量突出させた状態で、側壁付本体部５７０と側壁延設部材５８０とを固定することで、側壁部５２０の高さを所定の高さとしたリニューアルプレート５０が形成されることとなる。
【０１１４】
この側壁付本体部５７０と側壁延設部材５８０との固定は、本実施形態では、ねじ孔５２８を長孔５２５に連通させた状態で、ワッシャ５５１に挿通させたねじ５５０を、長孔５２５およびねじ孔５２８に挿入してねじ止めすることで行われている。
【０１１５】
このように、本実施形態では、側壁部本体５２１の長孔５２５、延設壁５２２のねじ孔５２８、ねじ５５０、ワッシャ５５１とで可変構造５６０を構成している。
【０１１６】
なお、本実施形態では、長孔５２５をスライド壁部本体５２３ａの幅方向中央に上下方向に延在するように形成しており、ねじ孔５２８をスライド壁部本体５２７ａの幅方向中央に形成している。こうすることで、側壁延設部材５８０を側壁付本体部５７０に対して上下にスライドさせた際に、ねじ孔５２８が長孔５２５の上端から下端にかけてのいずれの位置にあっても、ねじ孔５２８と長孔５２５とが互いに連通するようにしている。
【０１１７】
したがって、一旦、側壁延設部材５８０を側壁付本体部５７０に取り付けた後には、ねじ孔５２８を取り外すことなく緩めるだけで、側壁延設部材５８０を側壁付本体部５７０に対して上下にスライドさせることができる。
【０１１８】
また、側壁付本体部５７０に側壁延設部材５８０を固定することで形成したリニューアルプレート５０は、２つの側壁部５２０（複数の側壁部のうち少なくとも２つの側壁部）の先端５２０ｂ同士が連結壁５３０によって連結された構成をしている（図１０参照）。
【０１１９】
以上説明したように、本実施形態のリニューアルプレート（取付補助部材）５０は、天井（壁部）６０の天井孔（貫通孔）６１に埋め込み固定されるとともに、ダウンライト（灯具）２０が取り付けられるものである。すなわち、リニューアルプレート５０は、図示せぬ既存のダウンライト（灯具）が埋め込み固定されていた天井孔（貫通孔）６１に、サイズが合わないダウンライト（灯具）２０を取り付ける（埋め込み固定させる）際に、用いられるものである。
【０１２０】
本実施形態では、このリニューアルプレート５０は、天井６０における天井孔６１の周縁部６０ｃを覆う本体部５１０と、本体部５１０に設けられて天井孔６１に挿入される側壁部５２０と、を備えている。
【０１２１】
また、本体部５１０には、天井孔６１よりも開口面積が小さく、ダウンライト２０が挿入される取付孔５１４が形成されている。
【０１２２】
そして、側壁部５２０は、本体部５１０側の根元部５２０ａから先端５２０ｂまでの高さを変えることのできる可変構造５６０を有している。
【０１２３】
こうすれば、側壁部５２０の根元部５２０ａから先端５２０ｂまでの高さを適宜設定することが可能となる。
【０１２４】
また、側壁部５２０は、先端５２０ｂ側を取付孔５１４に挿入されたダウンライト２０よりも突出させることができるように構成されている。
【０１２５】
したがって、側壁部５２０の高さを適宜設定し、側壁部５２０のダウンライト２０からの突出量を適宜設定すれば、断熱施工が施された建物の天井６０にダウンライト２０を埋め込み固定させる場合に、ダウンライト２０と断熱材７０との間に形成される空間Ｓ１の大きさを所望の大きさとすることができる。
【０１２６】
例えば、リニューアルプレート（取付補助部材）５０に取り付けるダウンライト（灯具）２０の種類に応じて側壁部５２０の高さを適宜設定すれば、ダウンライト２０と断熱材７０との間に形成される空間Ｓ１を、各ダウンライト２０の放熱に必要な大きさとすることができる。
【０１２７】
具体的には、発熱量が比較的大きいダウンライト２０をリニューアルプレート５０に取り付ける場合に側壁部５２０の高さを高くすることで、ダウンライト２０と断熱材７０との間に形成される空間Ｓ１を大きくし、放熱に必要な大きさとすることができる。
【０１２８】
一方、発熱量が比較的小さいダウンライト２０をリニューアルプレート５０に取り付ける場合には、放熱に必要な空間を大きくする必要はないため、側壁部５２０の高さを低くすることができる。なお、発熱量が比較的小さいダウンライト２０をリニューアルプレート５０に取り付ける場合に、側壁部５２０の高さを高く設定することも可能である。こうすれば、ダウンライト２０が熱の影響を受けてしまうのをより確実に抑制することができる。
【０１２９】
また、高さが比較的高いダウンライト２０をリニューアルプレート５０に取り付ける場合に側壁部５２０の高さを高くすれば、ダウンライト２０と断熱材７０との間に比較的大きな隙間を形成することができるようになる。すなわち、ダウンライト２０が断熱材７０に近づきすぎてしまうのを抑制することができる。また、ダウンライト２０と断熱材７０との間に形成される空間Ｓ１の容積を変えることができるため、ダウンライト２０の容積が増加して当該ダウンライト２０の放熱に必要な空間を確保できなくなってしまうことを抑制できるようになる。
【０１３０】
このように、本実施形態によれば、異なる種類のダウンライト（灯具）２０を用いたとしても、各ダウンライト（灯具）２０にとって好ましい大きさの放熱空間をより確実に確保することができるようになる。すなわち、放熱空間をより確実に確保することのできるリニューアルプレート（取付補助部材）５０およびリニューアルプレート（取付補助部材）５０を備える照明装置１０を得ることができる。
【０１３１】
また、本実施形態では、本体部５１０に２つ（複数）の側壁部５２０を、取付孔５１４の周方向に離間させた状態で設けている。
【０１３２】
こうすれば、側壁部５２０によって断熱材７０を支持した際の断熱材７０の撓み量が比較的小さくなるため、断熱材７０がダウンライト（灯具）２０に近づいてしまうのをより確実に抑制することができるようになる。
【０１３３】
なお、側壁部５２０を取付孔５１４の全周にわたって延在するように設けることも可能であり、このように円筒状の側壁部５２０を本体部５１０に設ければ、本体部５１０には１つの側壁部５２０が設けられることになる。そして、側壁部５２０を円筒状とすることによっても、断熱材７０の撓み量が比較的小さくなるため、断熱材７０がダウンライト（灯具）２０に近づいてしまうのをより確実に抑制することができる。
【０１３４】
しかしながら、側壁部５２０を円筒状にすると、ダウンライト（灯具）２０の周囲が側壁部５２０によって完全に囲まれてしまうため、ダウンライト２０の近傍に熱がこもって、ダウンライト２０が熱による影響を受けてしまうことがある。
【０１３５】
これに対して、本実施形態では、２つ（複数）の側壁部５２０が取付孔５１４の周方向に離間するようにしているため、ダウンライト（灯具）２０の全周が側壁部５２０によって囲まれてしまうのを抑制することができる。したがって、ダウンライト２０の近傍に熱がこもってしまい、ダウンライト２０が熱による影響を受けてしまうのをより確実に抑制することができるようになる。
【０１３６】
また、本実施形態では、２つ（複数）の側壁部５２０が、取付孔５１４の中心に対して点対称となるように設けられている。
【０１３７】
こうすれば、２つの側壁部５２０の距離を取付孔５１４の開口径以上とすることが可能となって、撓んだ断熱材７０がダウンライト（灯具）２０に近づいてしまうのをより確実に抑制することができるようになる。
【０１３８】
また、本実施形態では、２つの側壁部５２０（複数の側壁部のうち少なくとも２つの側壁部）の先端５２０ｂ同士が連結壁５３０によって連結されている。
【０１３９】
こうすれば、２つの側壁部５２０の間における断熱材７０の撓みをより確実に抑制することができるようになる。また、断熱材７０を面で支えることが可能となるため、より安定した状態で断熱材７０を支持することができる。
【０１４０】
また、本実施形態では、側壁部５２０は、本体部５１０に設けられる側壁部本体５２１と、側壁部本体５２１に取り付けられる延設壁５２２と、を備えている。
【０１４１】
そして、延設壁５２２が、側壁部本体５２１の先端５２１ｂからの突出量を変えた状態で、側壁部本体５２１に取り付けられるようにしている。
【０１４２】
こうすれば、構成の簡素化を図ることができる上、より容易に可変構造５６０を有する側壁部５２０を形成することができる。
【０１４３】
なお、図１２および図１３に示すように、電源装置４０Ａと灯具本体３０Ａとを別体に形成したダウンライト２０の灯具本体３０Ａを、リニューアルプレート５０に取り付けるようにした照明装置１０とすることも可能である。
【０１４４】
図１２および図１３では、電源装置４０Ａとして既存の電源装置４００を用いたものを例示している。
【０１４５】
電源装置４００は、略直方体状の筐体４１０と、筐体４１０が取り付けられる取付部４５０と、を備えている。
【０１４６】
筐体４１０は、例えば、絶縁性を有する樹脂を用いて形成することができ、筐体４１０の内部には電子部品（図示せず）等が収納されている。
【０１４７】
そして、筐体４１０の長手方向一端側には、可撓性を有するケーブル４４０が接続されており、このケーブル４４０を介して筐体４１０の内部の電子部品が灯具本体３０Ａに電気的に接続されている。
【０１４８】
また、筐体４１０の長手方向他端側には、図１２に示すように、電源端子台４３０が形成されており、この電源端子台４３０には、ＶＶＦケーブル４４が接続されている。ＶＶＦケーブル４４は図示せぬ商用電源に電気的に接続されており、このＶＶＦケーブル４４を介して筐体４１０の内部の電子部品に電力が供給されるようになっている。
【０１４９】
取付部４５０は、例えば、亜鉛メッキ鋼板等の一枚の板状の部材を折曲させることで形成することができる。具体的には、一枚の板状の部材の長手方向両端をＬ字状に屈曲させることで形成されている。すなわち、取付部４５０は、筐体４１０が載置される載置部４５０ａと、天井（壁部）６０の上面（裏面）６０ａ等に載置させることが可能な脚部４５０ｂと、を備えている。
【０１５０】
このような電源装置４００は、灯具本体３０Ａをリニューアルプレート５０に取り付ける際には、天井空間Ｓ内に収容された状態で天井６０の上面（裏面）６０ａに載置されることとなる。
【０１５１】
ここで、電源装置４０Ａを灯具本体３０Ａとは別体に設けた場合、断熱施工が施された建物の天井６０に灯具本体３０Ａおよびリニューアルプレート５０を取り付ける際に、天井（壁部）６０の上面（裏面）６０ａと断熱材７０との間に電源装置４０Ａを配置させることとなる。
【０１５２】
しかしながら、既存の電源装置４００を単に用いただけでは、筐体４１０の上面が断熱材７０に接触した状態で、当該断熱材７０に覆われることとなる。そのため、既存の電源装置４００の近傍に熱がこもってしまい、電源装置４００が熱の影響を受けてしまうおそれがある。
【０１５３】
そこで、図１２および図１３に例示の電源装置４０Ａでは、既存の電源装置４００を用いつつ、熱による影響を受けてしまうのをより確実に抑制できるようにしている。
【０１５４】
具体的には、電源装置４０Ａは、既存の電源装置４００を載置させる台座４６０をさらに備えている。
【０１５５】
この台座４６０は、硬くて丈夫な材料で形成するのが好ましく、例えば、鋼板や鉄板などの金属材料を用いて形成することができる。
【０１５６】
台座４６０は、電源装置４００が載置される載置面４６１ａを有する載置部４６１と、載置部４６１に連設され、上方（載置面４６１ａと交差する方向）に延在する衝立部４６２と、を備えている。
【０１５７】
そして、載置面４６１ａに電源装置４００を載置し、電源装置４００を載置面４６１ａよりも上側に位置させた状態で、衝立部４６２の先端が電源装置４００よりも上方に突出するようにしている。
【０１５８】
なお、電源装置４００は、図１２に示すように、ねじ８０を用いて載置部４６１に固定されている。また、載置部４６１には、ケーブル４４０が押さえ部４４０ａによって固定されており、取付作業の際等にケーブル４４０が引っ張られて電源装置４００から外れてしまうのを抑制できるようにしている。
【０１５９】
さらに、図１３に示すように、衝立部４６２は、先端が上に凸の半円弧状となるように形成されている。
【０１６０】
また、一対の衝立部４６２が形成されており、一対の衝立部４６２が、載置面４６１ａに電源装置４００を載置し、電源装置４００を載置面４６１ａよりも上側に位置させた状態における平面視で略直方体状の筐体４１０の対角の隅部に位置するようにしている。
【０１６１】
さらに、電源装置４０Ａを筐体４１０の幅方向（短手方向）から視た状態で、一対の衝立部のうちの一方の衝立部４６２の先端と他方の衝立部４６２の先端とが重なり合わないようにしている（図１３参照）。
【０１６２】
また、台座４６０は、載置面４６１ａに連設され、載置面４６１ａの外側に略水平に延在する延長部４６３を備えている。この延長部４６３も一対形成されており、一対の延長部４６３は、載置面４６１ａに電源装置４００を載置し、電源装置４００を載置面４６１ａよりも上側に位置させた状態における平面視で略直方体状の筐体４１０の対角の隅部に位置している。
【０１６３】
このように、図１２および図１３では、衝立部４６２および延長部４６３は、それぞれ一対形成されており、一方の衝立部４６２と他方の延長部４６３とが筐体４１０の幅方向に並設されており、他方の衝立部４６２と一方の延長部４６３とが筐体４１０の幅方向に並設されている。
【０１６４】
なお、図１２および図１３では、一枚の板状の鋼板の長手方向両端を折曲することで、載置部４６１の長手方向両端に脚部４６１ｂを形成し、一対の延長部４６３の先端を折曲することで脚部４６３ａをそれぞれ形成している。
【０１６５】
かかる構成をした電源装置４０Ａを、室内空間Ｒ側から天井孔６１に挿入させて、天井空間Ｓ内に収容させると、衝立部４６２の先端で断熱材７０を上方に押し上げながら、天井（壁部）６０の上面（裏面）６０ａに載置させることになる。
【０１６６】
ここで、図１２および図１３では、衝立部４６２の先端を上に凸の半円弧状としているため、断熱材７０を上方に押し上げながら電源装置４０Ａを移動させる際に、衝立部４６２が断熱材に引っ掛かってしまうのが抑制され、よりスムースに電源装置４０Ａを天井裏に配置させることができる。
【０１６７】
そして、天井（壁部）６０の上面（裏面）６０ａと断熱材７０との間に電源装置４０Ａを配置させると、筐体４１０の上方に位置する断熱材７０は、一対の衝立部４６２によって上方に押し上げられた状態で支持されることとなる。すなわち、筐体４１０の上面と断熱材７０との間に隙間Ｓ２が形成されることとなる（図１３参照）。
【０１６８】
こうすれば、電源装置４０Ａの熱による影響をより緩和させることができるようになる。
【０１６９】
なお、台座４６０の形状は上記の形状に限られるものではなく、様々な形状とすることができる。
【０１７０】
以上、本開示の好適な実施形態について例示して説明したが、上記実施形態には限定されず、種々の変形が可能である。
【０１７１】
例えば、上記実施形態では、照明装置として、天井に埋め込まれるダウンライトを例示したが、建物の室内空間を画成する壁部であって、天井以外の壁部に灯具を埋め込み固定することも可能である。
【０１７２】
また、灯具本体や電源装置の構成は、上記実施形態で示した構成に限られるものではなく、従来公知の構成を採用することが可能である。
【０１７３】
また、可変構造５６０は、上記実施形態で示した構成に限らず、様々な構成をとすることができる。例えば、側壁部５２０に蛇腹部を形成することで、側壁部５２０が可変構造５６０を有するようにしてもよい。また、径の大きい円筒の中にそれよりわずかに径の小さい円筒を連続して入れた側壁５２０とすることも可能である。すなわち、径の異なる複数の円筒を用いて側壁部５２０を伸縮自在に形成し、側壁部５２０が可変構造５６０を有するようにすることも可能である。
【０１７４】
また、延設壁や側壁部本体、その他細部のスペック（形状、大きさ、レイアウト等）も適宜に変更可能である。
【符号の説明】
【０１７５】
１０  照明装置
２０  ダウンライト（灯具）
５０  リニューアルプレート（取付補助部材）
５１０  本体部
５１４  取付孔
５２０  側壁部
５２０ａ  根元部
５２０ｂ  先端
５２１  側壁部本体
５２１ｂ  先端
５２２  延設壁
５３０  連結壁
５６０  可変構造
６０  天井（壁部）
６０ｃ  周縁部
６１  天井孔（貫通孔）
【図１】
2018060721.tif 000003
【図２】
2018060721.tif 000004
【図３】
2018060721.tif 000005
【図４】
2018060721.tif 000006
【図５】
2018060721.tif 000007
【図６】
2018060721.tif 000008
【図７】
2018060721.tif 000009
【図８】
2018060721.tif 000010
【図９】
2018060721.tif 000011
【図１０】
2018060721.tif 000012
【図１１】
2018060721.tif 000013
【図１２】
2018060721.tif 000014
【図１３】
2018060721.tif 000015